(57)【要約】【課題】軽量化と高剛性を両立させ、それにより、ピアノのアクションの良好な応答性および連打性と、十分な音量を得ることができるグランド型ピアノのウィッペンを提供する。【解決手段】押鍵された鍵５２で突き上げられることによって、ハンマー５６を回動させ、ハンマー５６に打弦を行わせるグランド型ピアノのウィッペン１であって、前後方向に延び、後端部において水平軸線回りに回動自在に支持された本体部２と、本体部２の中央部８から下方に突出し、鍵５２によって突き上げられるヒール部３と、少なくとも本体部２の側面に前後方向に延びるように形成され、中央側で深く、外側で浅い凹部１１と、を備える。【選択図】  図１
2004279801.tif 000002
【特許請求の範囲】
【請求項１】
押鍵された鍵で突き上げられることによって、ハンマーを回動させ、当該ハンマーに打弦を行わせるグランド型ピアノのウィッペンであって、
前後方向に延び、後端部において水平軸線回りに回動自在に支持された本体部と、
当該本体部の中央部から下方に突出し、前記鍵によって突き上げられるヒール部と、
少なくとも前記本体部の側面に前後方向に延びるように形成され、中央側で深く、外側で浅い凹部と、
を備えることを特徴とするグランド型ピアノのウィッペン。
【請求項２】
前記凹部が中央側に向かって段階的に深くなっていることを特徴とする、請求項１に記載のグランド型ピアノのウィッペン。
【請求項３】
前記凹部が中央側に向かって連続的に深くなっていることを特徴とする、請求項１に記載のグランド型ピアノのウィッペン。
【発明の詳細な説明】
【０００１】
【発明の属する技術分野】
本発明は、押鍵された鍵で突き上げられることによって、ハンマーに打弦を行わせるグランド型ピアノのウィッペンに関する。
【０００２】
【従来の技術】
従来のグランドピアノのウィッペンとして、例えば特許文献１に開示されたものが知られている。図７に示すように、このウィッペン７０は、前後方向（以下、演奏者から見て手前側を「前」とし、先方側を「後」とする）に延びる本体部７０ａと、本体部７０ａの中央部から下方に突出するヒール部７０ｂと、本体部７０ａのヒール部７０ｂよりも後ろ側から上方に突出するレバー支持部７０ｃとを備えている。本体部７０ａの前端部および後端部には、ジャック取付孔７０ｄおよび被支持孔７０ｅがそれぞれ形成されている。以上の構成のウィッペン７０は、図７に示すように、被支持孔７０ｅを介してウィッペンフレンジに回動自在に支持されるとともに、ヒール部７０ｂを介して鍵の後部に載置されている。さらに、ウィッペン７０のレバー支持部７０ｃおよびジャック取付孔７０ｄには、レペティションレバーおよびジャックがそれぞれ回動自在に支持されており、これらのウィッペン７０、レペティションレバーおよびジャックなどによって、アクションが構成されている。また、このレペティションレバーには、シャンクローラーを介して、ハンマーが載置されている。
【０００３】
以上の構成のアクションでは、ウィッペン７０は、押鍵された鍵により、ヒール部７０ｂが突き上げられることによって、被支持孔７０ｅを中心として上方に回動し、それに伴い、レペティションレバーおよびジャックが作動することで、ハンマーを上方に回動させ、上方に張られた弦を打弦させる。その後、ウィッペン７０は、重力によって下方に回動し、鍵の後部に当接し、それにより、次の押鍵態勢がとられる。
【０００４】
このウィッペン７０の両側面には、その重さを軽減するために、均一の深さの凹部７０ｆがそれぞれ形成されている。具体的には、この凹部７０ｆは、本体部７０ａの後部および中央部からヒール部７０ｂにわたって、均一の深さで形成されている。
【０００５】
【特許文献１】
特開平９−２８１９５９号公報（第３頁第４欄、図３）
【０００６】
【発明が解決しようとする課題】
上記従来のウィッペン７０は、両側面に形成された凹部７０ｆによって軽量化されている。これにより、ウィッペン７０の軽快性が保たれることで、押鍵から発音までの応答性が向上する。しかし、凹部７０ｆを備えた分、ウィッペン７０の剛性が低下してしまい、ハンマーへの押鍵エネルギーの伝達ロスが生じることで、ハンマーの回動速度が遅くなり、その結果、ピアノの音量が不足がちになる。このような問題は、両側面の凹部７０ｆの深さを浅くすることによって解消することが可能である。しかし、その場合には、ウィッペン７０の剛性は十分に確保されるものの、逆に軽量化が不十分になるため、ウィッペン７０の動きが鈍くなり、押鍵から発音までの応答性が低下する。その結果、トリルのように同じ鍵を連続して押鍵する演奏（連打性）を良好に行えない。また、ウィッペン７０を含めたアクション全体の重さが大きくなると、鍵のタッチ重さが大きくなるので、それを調整するために、鍵重りを鍵の前部に余分に取り付けなければならない。
【０００７】
本発明は、上記課題を解決するためになされたものであり、軽量化と高剛性を両立させ、それにより、ピアノのアクションの良好な応答性および連打性と、十分な音量を得ることができるグランド型ピアノのウィッペンを提供することを目的とする。
【０００８】
【課題を解決するための手段】
この目的を達成するために、請求項１に係る発明は、押鍵された鍵で突き上げられることによって、ハンマーを回動させ、ハンマーに打弦を行わせるグランド型ピアノのウィッペンであって、前後方向に延び、後端部において水平軸線回りに回動自在に支持された本体部と、本体部の中央部から下方に突出し、鍵によって突き上げられるヒール部と、少なくとも本体部の側面に前後方向に延びるように形成され、中央側で深く、外側で浅い凹部と、を備えることを特徴とする。
【０００９】
この構成によれば、ウィッペンは、前後方向に延びる本体部の後端部が回動自在に支持されており、ヒール部が、押鍵された鍵で突き上げられることによって、ウィッペンに曲げ荷重が加わり、曲げ応力が発生する。この曲げ応力は、一般的に、ウィッペンの中央側で小さく、外側で大きい。
【００１０】
このような曲げ応力の分布に対して、本発明のウィッペンによれば、曲げ応力の大きな外側では、凹部が浅く、すなわち剛性が比較的高く設定されるとともに、曲げ応力の小さな中央側では、凹部が深く、すなわち剛性が小さくなるように設定されている。したがって、曲げ応力の分布に応じた高い剛性を過不足なく得ることができる。また、凹部が本体部の側面に前後方向に延びていることによって、ウィッペンの軽量化を達成でき、ウィッペンの高剛性と軽量化をバランス良く両立させることができる。その結果、ウィッペンが高い剛性を有することによって、ハンマーへの押鍵エネルギーの伝達ロスを抑え、ハンマーの回動速度を速めることで、ピアノの音量を十分に得ることができる。また、ウィッペンの軽量化によって、良好な応答性と連打性を得ることができる。
【００１１】
請求項２に係る発明は、請求項１に記載のグランド型ピアノのウィッペンにおいて、凹部が中央側に向かって段階的に深くなっていることを特徴とする。
【００１２】
この構成によれば、凹部が中央側に向かって段階的に深くなっているので、ウィッペンを成形するための金型を容易に作製することができる。
【００１３】
請求項３に係る発明は、請求項１に記載のグランド型ピアノのウィッペンにおいて、凹部が中央側に向かって連続的に深くなっていることを特徴とする。
【００１４】
この構成によれば、凹部が中央側に向かって連続的に深くなっているので、ウィッペンの曲げ応力の実際の分布に合致するように剛性を設定できるとともに、段差のある境界部と比較して、応力の集中を回避することができる。
【００１５】
【発明の実施の形態】
以下、図面を参照しながら、本発明の好ましい実施形態を詳細に説明する。図３は、本発明の第１実施形態によるウィッペン１を含むグランドピアノのアクション５１を、鍵５２の離鍵状態において示している。このアクション５１は、前後方向（同図の左右方向）に延び、鍵５２の後部（同図の左部）にキャプスタンスクリュー６０を介して載置されたウィッペン１と、ウィッペン１に回動自在に取り付けられたレペティションレバー５３およびジャック５４とを備えている。ウィッペン１は、後端部において、ウィッペンフレンジ５８に水平軸線回りに回動自在に支持されている。さらに、レペティションレバー５３の前部には、シャンクローラー５５を介してハンマー５６が載置されている。
【００１６】
この離鍵状態から、鍵５２が押鍵されると、ウィッペン１が突き上げられることにより、レペティションレバー５３およびジャック５４がウィッペン１と一緒に上方に回動する。そして、回動したジャック５４がシャンクローラー５５を介してハンマー５６を突き上げることによって、ハンマー５６が弦Ｓを打弦する。
【００１７】
ウィッペン１は、図１に示すような側面形状を有しており、前後方向に延びるとともにレバー取付部８ａを有する本体部２と、この本体部２から下方に突出するヒール部３を備えている。このウィッペン１の厚さは、後述する凹部１１以外の部分では、所定の幅Ｔ（例えば９．６ｍｍ）に設定されている（図２参照）。
【００１８】
本体部２は、前側から順に、前部６、中央部８および後部７に区分される。前部６は所定の高さＨ１（例えば９．０ｍｍ）を有し、前後方向に延びている。後部７は、前後方向に延びており、前部６と基本的に同じ所定の高さＨ１を有し、その中間部が一段低く形成されており、それよりも後ろ側が、斜め上方に若干延びた後、水平な後端部になっている。
【００１９】
レバー取付部８ａは、中央部８の後ろ寄りの部分から上方に突出するように設けられている。レバー取付部８ａの前面は、内向きに凸に湾曲した湾曲面を介して中央部８の上面に連続し、レバー取付部８ａの背面は、直線状に延びる斜面を介して中央部８の上面に連続している。
【００２０】
中央部８は、前部６および後部７よりも大きな所定の高さＨ２（例えば１６．０ｍｍ）を有し、下方に突出しており、その下側に前記ヒール部３が連続している。ヒール部３は、上下方向にほぼ直線状に延びる前面３ａおよび背面３ｂと、前面３ａと背面３ｂの下端間に前後方向に延びる底面３ｄとによって囲まれた側面形状を有している。ヒール部３の前面３ａは、直線状に延びる前斜面８ｄを介して、前部６の下面と連続している。ヒール部３の背面３ｂは、直線状に延びる後斜面８ｅを介して、後部７の下面と連続している。
【００２１】
ヒール部３と中央部８との間の境界部には、下内リブ２３が前後方向に水平に延びるように形成され、下内リブ２３の前端部および後端部が、前斜面８ｄおよび後斜面８ｅとそれぞれ連続している。また、ヒール部３の底面３ｄは、中央のキャプスタンスクリュー当接部３ｃを中心として前後対称に形成されており、前面３ａおよび背面３ｂの下端よりも若干上方の位置から中心に向かって斜めに延びている。また、キャプスタンスクリュー当接部３ｃは、若干へこんでおり、この部分を介して、ウィッペン１がウィッペンヒールクロス（図示せず）を介して、キャプスタンスクリュー６０に当接している。
【００２２】
ウィッペン１の左右の側面には、重量を軽減するための複数の凹部が互いに対応するように形成されており、これらの凹部は、本体凹部１１、レバー凹部１２およびヒール凹部１３で構成されている。
【００２３】
本体凹部１１は、前部６の後ろ寄りの部分と後部７の中間部との間にわたって、前後方向に長く延びている。また、本体凹部１１は、本体部２の上面および下面に沿う外リブ２１と、下内リブ２３によって取り囲まれた形状を有し、外凹部１１ａと中央凹部１１ｂで構成されている。
【００２４】
中央凹部１１ｂは、前後方向に延びており、上底辺が下底辺よりも長い逆台形状を有し、上底辺および下底辺は、本体部８の上面と平行に延び、残りの二つの斜辺は、前斜面８ｄおよび後斜面８ｅとそれぞれ平行に延びている。中央凹部１１ｂは、以上のような形状を有するとともに、その外側の本体凹部１１の残りの部分が、外凹部１１ａとなっている。図４に示すように、外凹部１１ａの深さは、第１所定値Ｗ１（例えば１．０〜４．０ｍｍ）に設定され、中央凹部１１ｂの深さは、第１所定値Ｗ１よりもさらに大きな第２所定値Ｗ２（例えばＷ１＋０．１〜０．５ｍｍ）に設定されている。
【００２５】
レバー凹部１２は、レバー取付部８ａの下端部に配置されており、ほぼ三角形状を有している。具体的には、本体凹部１１とレバー取付部８ａとの間の境界部に、上内リブ２２が前後方向に水平に延びるように形成されており、レバー凹部１２は、この上内リブ２２と、レバー取付部８ａの前面の前記湾曲面と、レバー取付部８ａの背面の前記斜面とによって取り囲まれた形状を有している。このレバー取付部８ａは機能的に本体部２の剛性に寄与する度合が低いため、前記湾曲面および前記斜面のそれぞれのリブの厚さは、上内リブ２２よりも若干薄くなっている。さらに、レバー凹部１２の深さも外凹部１１ａよりも大きな第３所定値Ｗ３（例えば４．３ｍｍ）に設定されている。
【００２６】
ヒール凹部１３は、下内リブ２３と、ヒール部３の前面３ａ、底面３ｄおよび背面３ｂとによって取り囲まれた形状を有している。このヒール部３は機能的に本体部２の剛性に寄与する度合が本体部２と同程度であるため、図４に示すように、ヒール凹部１３の深さＷ４は外凹部１１ａと同じＷ１に設定されている。
【００２７】
なお、図２に示すように、本体部２の前部６の前側は、従来のウィッペン７０と同様、左右に二股に分岐したジャック取付部６ａになっており、各分岐部に、ジャック５４を取り付けるためのジャック取付孔６ｂが左右方向に貫通するように形成されている。また、前部６の上面には、ジャック取付部６ａよりも後ろ側に、上下方向に貫通するスプーン取付孔６ｃが形成されている。このスプーン取付孔６ｃに、スプーン５７（図３参照）が圧入によって固定される。
【００２８】
さらに、レバー取付部８ａは、左右に二股に分岐しており、各分岐部の上端部および中央部にはそれぞれ、レペティションレバー５３を取り付けるためのレバー取付孔８ｂ、およびレペティションスプリング６１（図３参照）を取り付けるためのスプリング取付孔８ｃが、左右方向に貫通するように形成されている。
【００２９】
また、後部７の後端部には、左右方向に貫通する支持孔７ａが形成されている。ウィッペン１はウィッペン取付孔７ａに通されたセンターピンを介して、ウィッペンフレンジ５８（図３参照）に回動自在に支持される。
【００３０】
以上のように、第１実施形態のウィッペン１によれば、本体部２の両側面の広い範囲にわたって本体凹部１１が形成されるとともに、これに加えて、ヒール部３にヒール部凹部１３が、レバー取付部８ａにレバー凹部１２が形成されるので、ウィッペン１の軽量化を十分に達成することができる。また、本体凹部１１の深さが、中央凹部１１ｂでは大きく、外凹部１１ａではより小さく設定されているので、押鍵された鍵５２で突き上げられることによって発生する曲げ応力の分布に合致した高い剛性を過不足なく得ることができる。以上により、ウィッペン１の高剛性と軽量化をバランスよく両立させることができる。その結果、ウィッペン１が、高い剛性を有することによって、ハンマー５６への押鍵エネルギーの伝達ロスを抑え、ハンマー５６の回動速度を速めることができる。したがって、ピアノの音量を十分に得ることができるとともに、打弦のタイミングが早められ、応答性が向上する。また、ウィッペン１の軽量化により、良好な連打性を得ることができる。
【００３１】
また、本体凹部１１の外凹部１１ａと中央凹部１１ｂが、段状に形成されているため、ウィッペン１を成形するための金型を、凹部の深さが連続的に変化するようなウィッペンの金型と比較して、容易に作製することができる。
【００３２】
図５は、本発明の第２実施形態によるウィッペン３０を示している。同図において、第１実施形態のウィッペン１と同じ構成の部分については、同じ符号を用いて示している。本実施形態のウィッペンは、第１実施形態と比較して、その側面の凹部１１の深さおよび断面の形状が異なるものである。
【００３３】
このウィッペン３０は、本体部２の両側面にテーパ状凹部１１ｃを有している。図６に示すように、このテーパ状凹部１１ｃは、上下方向において外リブ２１から本体部２の中央側に向かって連続的に深くなっており、図示しないが、テーパ状凹部１１ｃは、前後方向においても、中央側に向かって緩やかに連続的に深くなっている。その最大深さの位置は、上下および前後方向において曲げ応力が最小になる部位の付近に設定されている。また、最大深さＷＭＡＸは、第１実施形態の本体凹部１１の中央凹部１１ｂとほぼ同じＷ２に設定されている。
【００３４】
以上のように、第２実施形態のウィッペン３０は、テーパ状凹部１１ｃが中央側に向かって連続的に深くなるように形成されているので、曲げ応力の実際の分布に合致するように剛性を設定することができる。また、テーパ状凹部１１ｃは、外凹部１１ａと中央凹部１１ｂ（図４参照）との境界部のような段差がないので、応力の集中を回避することができる。以上により、軽量化と高剛性のバランスが非常に優れたウィッペンを作製することができる。
【００３５】
なお、本発明は、説明した実施形態に限定されることなく、種々の態様で実施することができる。例えば、ウィッペン１の外凹部１１ａ、中央凹部１１ｂ、レバー凹部１２およびヒール凹部１３の深さＷ１〜Ｗ４を、それぞれ実施形態で示した以外の適当な値に設定してもよい。また、レバー凹部１２およびヒール凹部１３の形状を、階段状やテーパ状にしてもよい。さらに、ウィッペンを、炭素繊維を強化材として含有する合成樹脂で構成することによって、ウィッペンの剛性をさらに高めるようにしてもよい。なお、ウィッペンの凹部の深さ、側面形状および断面形状は、本発明の目的である軽量化と高剛性の両立を達成できるものであれば、実施形態のものに限らず任意である。その他、本発明は、グランド型の消音ピアノにも適用可能である。
【００３６】
【発明の効果】
以上のように、本発明のグランド型ピアノのウィッペンによれば、軽量化と高剛性を両立させ、それにより、ピアノのアクションの良好な応答性および連打性と、十分な音量を得ることができるなどの効果を有する。
【図面の簡単な説明】
【図１】本発明の第１実施形態によるウィッペンの側面図である。
【図２】図１のウィッペンの斜視図である。
【図３】図１のウィッペンを適用したアクションを含む鍵盤装置の側面図である。
【図４】図１のウィッペンのＸ１−Ｘ１に沿う断面図である。
【図５】本発明の第２実施形態によるウィッペンの側面図である。
【図６】図５のウィッペンのＸ２−Ｘ２に沿う断面図である。
【図７】従来のウィッペンの側面図である。
【符号の説明】
１  ウィッペン
２  本体部
３  ヒール部
８  中央部
１１  本体凹部（凹部）
１１ａ  外凹部
１１ｂ  中央凹部
１１ｃ  テーパ状凹部（凹部）
３０  ウィッペン
５２  鍵
５６  ハンマー
Ｗ１  外凹部の深さ
Ｗ２  中央凹部の深さ
【図１】
2004279801.tif 000003
【図２】
2004279801.tif 000004
【図３】
2004279801.tif 000005
【図４】
2004279801.tif 000006
【図５】
2004279801.tif 000007
【図６】
2004279801.tif 000008
【図７】
2004279801.tif 000009